【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
前記リールの変動を開始するときに遊技者が操作するスタートスイッチ、及び前記リールの変動を停止させるときに遊技者が操作するストップスイッチを含む操作スイッチと、
遊技の進行を制御するメイン制御手段と、
演出の出力を制御するサブ制御手段と
を備え、
前記メイン制御手段は、
役の抽選を行う役抽選手段と、
前記スタートスイッチが操作されたときに前記リールの変動を開始するとともに、前記ストップスイッチが操作されたときに、そのストップスイッチに対応する前記リールを停止制御するリール制御手段と、
前記リールの変動を行う所定のフリーズ演出を実行するフリーズ制御手段と
を備え、
前記メイン制御手段は、前記役抽選手段による役抽選結果に関する情報を前記サブ制御手段に送信し、
前記サブ制御手段は、所定の条件を満たしていることを条件に、前記役抽選手段で所定の役抽選結果となった遊技で、所定の操作態様で前記ストップスイッチを操作させるための情報を報知し、
前記フリーズ制御手段は、前記役抽選手段で前記所定の役抽選結果となった遊技で、前記所定の操作態様で前記ストップスイッチが操作されたことを条件に、前記所定のフリーズ演出を実行可能に制御し、
前記所定のフリーズ演出は、所定の契機で前記リールの変動を開始し、その後に所定の図柄の組合せが表示されるように前記リールを仮停止させるものであり、
前記リール制御手段は、前記所定のフリーズ演出が終了した後、前記リールの再変動を行うように制御し、
前記リールの再変動を行うときは、少なくとも１つのリールの変動タイミングを遅延させる遅延処理を実行し、
前記メイン制御手段は、前記リールの再変動を行い、すべての前記リールを所定速度になるまで加速した後、前記ストップスイッチの操作に基づき前記リールを停止可能な状態にする
ことを特徴とするスロットマシン。
【手続補正２】
【補正対象書類名】明細書
【補正対象項目名】０００１
【補正方法】変更
【補正の内容】
【０００１】
本発明は、リールの変動を行うフリーズ演出を実行するスロットマシンに関するものである。
【手続補正３】
【補正対象書類名】明細書
【補正対象項目名】０００８
【補正方法】変更
【補正の内容】
【０００８】
したがって、本発明が解決しようとする課題は、リールの変動を行うフリーズ演出を実行した後、リールの再変動を行う場合において、フリーズ演出が目押しの補助にならないようにすることである。
【手続補正４】
【補正対象書類名】明細書
【補正対象項目名】０００９
【補正方法】変更
【補正の内容】
【０００９】
本発明は、以下の解決手段によって、上述の課題を解決する。なお、かっこ書きにて、対応する実施形態を示す。
本発明は、
複数種類の図柄を表示した複数のリール（３１）と、
前記リールの変動を開始するときに遊技者が操作するスタートスイッチ（４１）、及び前記リールの変動を停止させるときに遊技者が操作するストップスイッチ（４２）を含む操作スイッチと、
遊技の進行を制御するメイン制御手段（５０）と、
演出の出力を制御するサブ制御手段（８０）と
を備え、
前記メイン制御手段は、
役の抽選を行う役抽選手段（６１）と、
前記スタートスイッチが操作されたときに前記リールの変動を開始するとともに、前記ストップスイッチが操作されたときに、そのストップスイッチに対応する前記リールを停止制御するリール制御手段（６４）と、
前記リールの変動を行う所定のフリーズ演出（リールを正回転又は逆回転させ、その後に中段「７」揃い又は「ＢＡＲ」揃いが表示されるようにリールを仮停止させるフリーズ演出）を実行するフリーズ制御手段（７０）と
を備え、
前記メイン制御手段は、前記役抽選手段による役抽選結果に関する情報を前記サブ制御手段に送信し、
前記サブ制御手段は、所定の条件を満たしている（ＡＴ遊技の抽選に当選した）ことを条件に、前記役抽選手段で所定の役抽選結果となった（レアリプレイに当選した）遊技で、所定の操作態様で前記ストップスイッチを操作させるための情報（昇格リプレイを入賞させるためのストップスイッチの押し順）を報知し、
前記フリーズ制御手段は、前記役抽選手段で前記所定の役抽選結果となった遊技で、前記所定の操作態様で前記ストップスイッチが操作されたことを条件に、前記所定のフリーズ演出を実行可能に制御し、
前記所定のフリーズ演出は、所定の契機（スタートスイッチの操作）で前記リールの変動を開始し、その後に所定の図柄の組合せ（中段「７」揃い又は「ＢＡＲ」揃い）が表示されるように前記リールを仮停止させるものであり、
前記リール制御手段は、前記所定のフリーズ演出が終了した後、前記リールの再変動を行うように制御し、
前記リールの再変動を行うときは、少なくとも１つのリールの変動タイミングを遅延させる遅延処理を実行し、
前記メイン制御手段は、前記リールの再変動を行い、すべての前記リールを所定速度になるまで加速した後、前記ストップスイッチの操作に基づき前記リールを停止可能な状態にする
ことを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、リールの変動を行うフリーズ演出を実行したときは、少なくとも１つのリールの変動タイミングを遅延させるので、フリーズ演出が目押しの補助になることはなく、遊技の公正を害しないようにすることができる。
【手続補正９】
【補正対象書類名】明細書
【補正対象項目名】０２８１
【補正方法】変更
【補正の内容】
【０２８１】
さらにまた、第４実施形態のようにリール３１の加速域に遅延時間を加算する場合には、第１実施形態のように３つのカウンターＣ１〜Ｃ３の各乱数値から各リール３１の遅延時間を決定してもよい。あるいは、第３実施形態のように１個のカウンターＣ４の乱数値から各リール３１の遅延時間を決定してもよい。
さらに、第１実施形態のカウンターＣ１〜Ｃ３、又は第３実施形態のカウンターＣ４から各リール３１の乱数値を決定した後は、その乱数値に基づいて、各リール３１の遅延時間を決定すること、各モータ３２の遅延ステップ数を決定すること、各リール３１の遅延図柄数を決定すること、のいずれであってもよい。
＜付記＞
本願の出願当初の請求項に係る発明（当初発明）が解決しようとする課題、当初発明に係る課題を解決するための手段及び当初発明の効果は、以下の通りである。
（１）当初発明が解決しようとする課題
当初発明が解決しようとする課題は、スタートスイッチの操作を所定時間受け付けないフリーズを行い、このフリーズ中のリール演出を行った後、リールの回転を開始する場合において、フリーズ中のリール演出が目押しの補助にならないようにすることである。
（２）当初発明に係る課題を解決するための手段（なお、かっこ書きで、対応する実施形態を記載する。）
第１の解決手段（第４実施形態）は、複数種類の図柄を表示した複数のリール（３１）と、前記リールの回転を開始するときに遊技者が操作するスタートスイッチ（４１）、及び前記リールの回転を停止させるときに遊技者が操作するストップスイッチ（４２）を含む操作スイッチと、前記スタートスイッチが操作されたときに前記リールの回転を開始するとともに、前記ストップスイッチが操作されたときに、そのストップスイッチに対応する前記リールを停止制御するリール制御手段（６４）と、フリーズの実行条件を満たしたときに、前記スタートスイッチの操作を所定時間受け付けないフリーズを実行するフリーズ制御手段（７０）とを備え、前記リール制御手段は、フリーズ中に、少なくとも１つの前記リールを回転させて、それまでの停止位置と異なる位置に前記リールを停止させるフリーズ演出を実行し、フリーズの解除条件を満たしたときに、前記スタートスイッチの操作を受け付けて前記リールの回転を開始するように制御し、各前記リールごとに、前記リールの回転速度が定速に到達するまでの遅延時間ｔを乱数値に基づいて決定し、フリーズ演出の終了後、すべての前記リールを同時に始動するとともに、各前記リールごとに、定速に到達するまでに遅延時間ｔを含む加速を行うように制御することを特徴とする。
第２の解決手段は、第１の解決手段において、各前記リールごとに設けられ、前記リールを駆動するめのステッピングモータ（３２）を備え、フリーズ演出の終了後、前記リールを回転させるときは、複数回の割込みで１ステップの駆動を開始し、１ステップの駆動に対する割込み数を徐々に少なくしていき、１割込みで１ステップの駆動となったときに前記リールの回転速度が定速となるように制御し、前記リールの遅延時間ｔを有するときは、遅延時間ｔを有さないときのＮ（Ｎは、２以上の整数）割込みで１ステップの駆動を「Ｎ＋ｔ」割込みで１ステップの駆動に変更することで、そのリールに対して遅延時間ｔを加算することを特徴とする。
（当初発明と実施形態との関係）
第１の解決手段において、「フリーズの実行条件を満たしたとき」とは、実施形態では、ＡＴ遊技に当選し、スタートスイッチ４１が操作されたときに相当する。
「それまでの停止位置と異なる位置」とは、実施形態では、「７」揃い又は「ＢＡＲ」揃いに相当する。
「フリーズの解除条件を満たしたとき」とは、実施形態では、フリーズに割り当てられた所定時間を経過したとき、又はフリーズに割り当てられた所定時間が経過する前に所定の操作（スタートスイッチやストップスイッチ等の操作）が行われることによって、フリーズがキャンセルされたときに相当する。
「各前記リールごとに、定速に到達するまでに遅延時間ｔを含む加速を行う」とは、実施形態では、図９に示すように、本来であれば４割込み１ステップ駆動のところを、そのリールの遅延時間を割込み時間に換算した値を加算して１ステップ駆動を行っている。
（３）当初発明の効果
当初発明によれば、フリーズ中にリール演出を行ったときは、リール演出終了時のリールの相関位置関係と異なる相関位置関係にして（例えば前遊技での相関位置関係に戻して）リールを定速状態にする（ストップスイッチの操作を受け付ける）ことができる。
したがって、リール演出時の停止出目が目押しの補助になることはなく、遊技の公正を害しないようにすることができる。
さらに、全リールについて、フリーズの解除と同時に（遅延時間「０」で）回転を開始することができるので、遊技者に違和感を与えないようにすることができる。